(57)【特許請求の範囲】
【請求項１】
投入コインを正規コインと正規コインより小さいコインとに選別するためのコイン選別装置であって、回転軸の軸線に平行な方向に投入コインを重合状態で受容可能な切欠き部とコイン選別用爪部とを外周に持つ回転板と、前記回転軸の軸線に平行な方向に正規コインの最大投入可能枚数と同数個重合状態で、かつ一の軸を中心に互いに独立揺動動作可能に設けられると共に前記コイン選別用爪部に当接可能な係止部を持つコイン選別用レバーと、このコイン選別用レバーの自由端部を前記回転板に当接させる方向へ付勢する付勢手段と、前記回転板を強制的に回転させるハンドルと、初期位置にある前記回転板の前記切欠き部に対して入出可能に構成されその切欠き部への正規コインの投入可能枚数を規制するコイン投入枚数規制部材と、人が操作することにより前記コイン枚数規制部材を前記切欠き部に対して入出させるコイン投入枚数設定部材とを具備し、前記各コイン選別用レバーは、投入コインが正規コインよりも小さい場合に前記コイン選別用爪部に前記係止部が当接して前記回転板の回転を阻止し、一方、投入コインが正規コインの場合には前記回転板の回転に伴う正規コインの摺接によって前記コイン選別用レバーが揺動動作して前記係止部が待避位置まで移動し前記回転板の回転を許容するようになっているコイン選別装置において、前記コイン投入枚数設定部材によって、前記切欠き部に投入される正規コインの摺接によって揺動動作する前記コイン選別用レバー以外の前記コイン選別用レバーを強制的に揺動動作させ、そのコイン選別用レバーの前記係止部を待避位置に移動させて保持しておくことを特徴とするコイン選別装置。
【請求項２】
前記コイン投入枚数設定部材の操作によりカムを介して前記コイン投入枚数規制部材が動作するようになっていることを特徴とする請求項１記載のコイン選別装置。
【請求項３】
前記コイン投入枚数設定部材の操作によりカムを介して前記コイン選別用レバーが動作するようになっていることを特徴とする請求項１または２記載のコイン選別装置。
【請求項４】
前記コイン投入枚数設定部材はダイヤル式となっていることを特徴とする請求項１〜３いずれか記載のコイン選別装置。
【発明の詳細な説明】
【０００１】
【発明の属する技術分野】
この発明は、例えば自動販売機等に組み込まれるコイン選別装置に関するものである。
【０００２】
【従来の技術】
図１９には自動販売機の一部が示されている。この自動販売機９０は、ゲームセンターや、デパート内の階段の踊り場などに設けられている。この自動販売機９０では、正規コイン（例えば１００円硬貨）を１枚乃至２枚入れ、ハンドル９１を回転させると、商品取出し口９２に商品が排出されるようになっている。この自動販売機９０は、投入コインを正規コインと正規コインより小さいコインとに選別するためのコイン選別装置を備えている。
【０００３】
ところで、このコイン選別装置においては、特開平８−２１２４３０号公報に示されるように、回転軸の軸線に平行な方向に投入コインを２枚重合状態で受容可能な切欠き部を外周に持つ回転板と、前記回転軸の軸線に平行な方向に２つ重合状態で、かつ互いに独立揺動動作可能に設けられたコイン選別用レバーと、このコイン選別用レバーの自由端部を前記回転板に当接させる方向へ付勢するばねと、前記回転板を強制的に回転させるハンドルと、初期位置にある前記回転板の前記切欠き部に対して入出可能に構成されその切欠き部への正規コインの投入可能枚数を規制するコイン投入枚数規制部材とを具備している。
【０００４】
そして、このコイン選別装置では、正規コインの投入可能枚数を２枚から１枚に変更する場合、一のコイン投入枚数設定部材によりコイン選別用レバーを一体化させるとともに、他のコイン投入枚数設定部材によりコイン投入枚数規制部材を動作させて回転板の切欠き部にそのコイン投入枚数規制部材の全部または一部を挿入させるようになっている。また、正規コインの投入可能枚数を１枚から２枚に変更する場合には、一のコイン投入枚数設定部材によりコイン選別用レバーを互いにフリーするとともに、他のコイン投入枚数設定部材によりコイン投入枚数規制部材を動作させて回転板の切欠き部からそのコイン投入枚数規制部材の全部または一部を出させるようになっている。
【０００５】
【発明が解決しようとする課題】
しかしながら、このコイン選別装置にあっては、正規コインの投入可能枚数を変更する際に２つのコイン投入枚数規制部材を操作しなければならないという煩雑さがあった。
【０００６】
本発明は、かかる問題点に鑑みなされたもので、正規コインの投入可能枚数を簡単に変えることができるコイン選別装置を提供することを目的としている。
【０００７】
【課題を解決するための手段】
請求項１記載のコイン選別装置は、投入コインを正規コインと正規コインより小さいコインとに選別するためのコイン選別装置であって、回転軸の軸線に平行な方向に投入コインを重合状態で受容可能な切欠き部とコイン選別用爪部とを外周に持つ回転板と、前記回転軸の軸線に平行な方向に正規コインの最大投入可能枚数と同数個重合状態で、かつ互いに独立揺動動作可能に設けられると共に前記コイン選別用爪部に当接可能な係止部を持つコイン選別用レバーと、このコイン選別用レバーの自由端部を前記回転板に当接させる方向へ付勢する付勢手段と、前記回転板を強制的に回転させるハンドルと、初期位置にある前記回転板の前記切欠き部に対して入出可能に構成されその切欠き部への正規コインの投入可能枚数を規制するコイン投入枚数規制部材と、人が操作することにより前記コイン枚数規制部材を前記切欠き部に対して入出させるコイン投入枚数設定部材とを具備し、前記各コイン選別用レバーは、投入コインが正規コインよりも小さい場合に前記コイン選別用爪部に前記係止部が当接して前記回転板の回転を阻止し、一方、投入コインが正規コインの場合には前記回転板の回転に伴う正規コインの摺接によって前記コイン選別用レバーが揺動動作して前記係止部が待避位置まで移動し前記回転板の回転を許容するようになっているコイン選別装置において、前記コイン投入枚数設定部材によって、前記切欠き部に投入される正規コインの摺接によって揺動動作する前記コイン選別用レバー以外の前記コイン選別用レバーを強制的に揺動動作させ、そのコイン選別用レバーの前記係止部を待避位置に移動させて保持しておくことを特徴とする。
このコイン選別装置によれば、１つのコイン投入枚数設定部材を操作することにより、初期位置にある前記回転板の前記切欠き部に対してコイン投入枚数規制部材が入出し、その切欠き部への正規コインの投入可能枚数が規制されるとともに、不用なコイン選別用レバーが強制的に揺動動作され、そのコイン選別用レバーの係止部が待避位置に移動して保持される。このように１つのコイン投入枚数設定部材を操作するだけで、コイン投入枚数規制部材と不用なコイン選別用レバーが動作するので、正規コインの投入可能枚数の変更が簡単に行えることになる。
【０００８】
請求項２記載のコイン選別装置は、請求項１記載のコイン選別装置において、前記コイン投入枚数設定部材の操作によりカムを介して前記コイン投入枚数規制部材が動作するようになっていることを特徴とする。
このコイン選別装置によれば、カムによってコイン投入枚数規制部材が動作するようになっているので、構成が簡素となる。
【０００９】
請求項３記載のコイン選別装置は、請求項１または２記載のコイン選別装置において、前記コイン投入枚数設定部材の操作によりカムを介して前記コイン選別用レバーが動作するようになっていることを特徴とする。
このコイン選別装置によれば、カムによってコイン選別用レバーが動作するようになっているので、構成が簡素となる。
【００１０】
請求項４記載のコイン選別装置は、請求項１〜３いずれか記載のコイン選別装置において、前記コイン投入枚数設定部材はダイヤル式となっていることを特徴とする。
このコイン選別装置によれば、コイン投入枚数設定部材がダイヤル式となっているので、操作性に優れたものとなる。
【００１１】
【発明の実施の形態】
図１は２段重ねの自動販売機の斜視図である。この自動販売機１では、商品収納部にカプセル商品３（図２）が充填されており、コイン投入口４に正規コインを必要枚数入れて、ハンドル５を時計方向に１回転することにより、カプセル商品３が１つだけ商品取出し口６に出てくるようになっている。この自動販売機１では、カプセル商品３の装填は、前面のカバー７を２点鎖線で示すように手前側に開けて行うようになっている。また、この自動販売機１では、返却ボタン８を押すことにより、誤って投入したコインなどが返却口９に返却されるようになっている。
【００１２】
次に、この自動販売機１に組み込まれるコイン選別装置の構造の詳細を図３以降の図を用いて説明するが、その前に、これらの図の主要なものを簡単に説明すれば、図３はコイン選別装置の正面側からの斜視図、図４はコイン選別装置の前半部の背面側からの分解斜視図、図５はコイン選別装置の後半部の背面側からの分解斜視図、図６はコイン選別装置の内枠を取り除いた状態の背面側からの斜視図である。
ここで、コイン選別装置１０は外枠１１、中板１２および内枠１３を備えている。中板１２と内枠１３との間には、ハンドル５に結合された回転板１４が設置され、回転板１４はハンドル５に追従して回転するように構成されている。回転板１４には、図５および図６に示すように、投入コインを受容可能な切欠き部１４ａが設けられている。一方、回転板１４の隣には、軸１５を中心に左右に揺動動作するコイン選別用レバー１６，１７，１８，１９が４枚重合状態で設けられている。このコイン選別用レバー１６，１７，１８，１９は軸１５を中心に独立に左右に揺動動作できるようになっており、各コイン選別用レバー１６，１７，１８，１９は、円環状で弾性を持つシリコンゴム（付勢手段）１６ａ，１７ａ，１８ａ，１９ａによってそれぞれ回転板１４の方向へ付勢されている。
【００１３】
このように構成されたコイン選別用レバー１６，１７，１８，１９の働きをコイン選別用レバー１６を例に説明すれば、図７に示すように、回転板１４の切欠き部１４ａに正規コイン（実施形態では１００円硬貨）Ｃが入っているときは、ハンドル５を回転させて回転板１４を回転させると、正規コインＣによりコイン選別用レバー１６の腹部（湾曲部）が押され、コイン選別用レバー１６が回転板１４に対して後退し、そのコイン選別用レバー１６の先端（係止部１６ｂ）が、回転板１４の切欠き部１４ａの端部（コイン選別用爪部１４ｂ）に当たらなくなる。その結果、回転板１４はコイン選別用レバー１６によって回転が妨げられない状態となり、図８に示すように回転板１４のコイン選別用爪部１４ｂが係止部１６ｂの所を通過してしまう。そして、さらに回転板１４が回ると、図９に示すように、切欠き部１４ａに保持されていたコインＣは自重により切欠き部１４ａからこぼれ落ち、最終的に図１０に示すように通路Ａに落下し、図示しないストッカに蓄えられる。一方、回転板１４の切欠き部１４ａに正規コインＣよりも僅かに小さいコインが入っているときは、コインによりコイン選別用レバー１６の腹部が押されず、コイン選別用レバー１６は回転板１４に対して後退しないので、そのコイン選別用レバー１６の係止部１６ｂが、回転板１４の回転に伴って、回転板１４のコイン選別用爪部１４ｂに当たり、回転板１４の回転が妨げられる。このようにして正規コインＣと、それよりも小さいコインＣ’との選別がなされる。なお、コイン選別用レバー１７，１８，１９の働きもコイン選別用レバー１６の働きと同様であるので、その詳しい説明は省略するが、正規コインＣが２枚〜４枚必要なカプセル商品の場合には、２枚〜４枚重合された状態でコインが切欠き部１４ａに入るので、その各々のコインの真偽がコイン選別用レバー１６，１７，１８，１９で確かめられることになる。
【００１４】
以上のように、正規コインＣとそれよりも僅かに小さいコインとの選別はコイン選別用レバー１６，１７，１８，１９によってなされるが、正規コインＣとそれよりも大きいコインＣとの選別は、この実施形態では、コイン投入口４の幅の大きさを正規コインＣと同じ程度の幅とすることによって行っている。
【００１５】
一方、正規コインＣとそれよりも極端に小さいコインとの選別は、図１１に示すように、コイン投入口４の下方にコイン選別用スロープ２０を設けることによって行っている。このコイン選別用スロープ２０にはコイン選別用開口２０ａが形成されている。また、コイン投入口４の直後にはフィルム２１が垂設されている。このフィルム２１は投入されたコインをコイン選別用開口２０ａに確実に導くためのものである。このコイン選別開口２０ａによって正規コインＣよりも極端に小さいコインが通路Ｂに落とされ、返却口９に返却される。一方、正規コインＣとその正規コインＣよりも僅かに小さいコインはフィルム２１をかいくぐってコイン選別用スロープ２０を滑動して切欠き部１４ａに入る。
【００１６】
また、内枠１３には図１２に示すようにコイン投入枚数規制部材２２が設けられている。このコイン枚数規制部材２２は横方向に延びる軸２３を中心に揺動動作可能に構成され、この揺動動作によってコイン枚数規制部材２２の一部（湾曲部２２ａ）が切欠き部１４ａに対して入出可能となっている。このコイン枚数規制部材２２の切欠き部１４ａに対する入出程度を変えることにより、正規コインの投入可能枚数を規制できる。なお、コイン枚数規制部材２２の軸２３には捻りコイルばね２４が掛けられており、この捻りコイルばね２４によって湾曲部２２ａが切欠き部１４ｂに入る方向に付勢されている。
【００１７】
このコイン投入規制部材２２の隣には、図１２に示すように、コイン枚数設定ダイヤル（コイン枚数設定部材）２５が設けられている。このコイン枚数設定ダイヤル２５の回りには、そのコイン枚数設定ダイヤル２５の軸線方向に互い段違いとなるように構成された４つの当接部からなる端面カム２５ｂが設けられている（図５参照）。この端面カム２５ｂのカム線図が図１４に示されている。なお、最大投入可能枚数が４枚の場合でも必ずしも４つの当接部を設ける必要はなく、投入可能枚数が１枚の場合の切欠き部１４ａに対するコイン投入枚数規制部材２２の入出量の規制は中板１２その他の固定部にコイン投入枚数規制部材２２を当接させることによって行っても良い。
これら４つの当接部には、捻れコイルばね２４によって付勢されたコイン枚数規制部材２２側部の鉤部２２ｂ（図５参照）が択一的に当接可能となっている。つまり、コイン枚数規制部材２２は端面カム２５ｂの従節を構成する。その結果、コイン枚数設定ダイヤル２５の摘み２５ａを操作して回転することで、その回転角度に応じてコイン枚数規制部材２２の鉤部２２ｂに当接される当接部が段階的に変わる。これによりコイン枚数規制部材２２の切欠き部１４ａに対する入出程度を変わり、正規コインの投入可能枚数が変わることになる。
【００１８】
また、コイン枚数設定ダイヤル２５には回転体２７が連結されている（図４参照）。この回転体２７の回りには、図１４に示すように、その回転体２７の軸線方向に沿って３つの周面カム２８ａ，２８ｂ，２８ｃが一体的に設けられている。３つの周面カム２８ａ，２８ｂ，２８ｃはそれぞれコイン選別用レバー１７，１８，１９に対応するものである。
これら３つの周面カム２８ａ，２８ｂ，２８ｃにはそれぞれシリコンゴム１７ａ，１８ａ，１９ａによって付勢されたコイン選別用レバー１７，１８，１９が当接しており、コイン枚数設定ダイヤル２５の摘み２５ａを操作して回転することで、その回転角度に応じてコイン選別用レバー１７，１８，１９が適宜に強制的に揺動動作させられる。これによりコイン選別用レバー１７，１８，１９の係止部１７ｂ，１８ｂ，１９ｂが適宜に待避位置におかれることになる。
【００１９】
また、回転板１４の隣には、その回転板１２の回転途中にコインを中板１２の背面に押圧する押圧手段４０が設けられている（図５参照）。この押圧手段４０は、図５および図１５に示すように、圧子４１とこの圧子４１を付勢するコイルばね４２から構成されている。圧子４１の先は傾斜しており、図１５（ａ）〜（ｃ）に示すように、コインがその先を通過する際に圧子４１はコイルばね４２の付勢力に抗して強制的に後退させられる。その際に、コインは中板１２の背面に押圧される。
【００２０】
さらに、この実施形態では、１回のハンドル５の操作で１個しかカプセル商品を排出させないような工夫がなされている。すなわち、図５および図７〜１０に示すように、回転板１４の外周に係止爪１４ｃが複数設けられる一方、同図における回転板１４の隣には軸３１を中心に左右に揺動する逆転防止用レバー３２が設けられている。この逆転防止用レバー３２は環状のシリコンゴム３３によって回転板１４の方向へ付勢されている。そして、回転板１４の係上爪１４ｂが逆転防止用レバー３２を一旦越えた後には、ハンドル５を逆方向へ回しても、図９に示すように回転板１４の係止爪１４ｃに逆転防止用レバー３２が係合して回転板１４の逆回転が阻止されるようになっている。
【００２１】
また、この実施形態では、誤って投入された正規コイン等の返却のための工夫がなされている。すなわち、図４および図１６に示すように、返却ボタン８は、軸８ａを中心に揺動動作可能な揺動板８ｂに付設されている。この揺動板８ｂは外枠１１の背面に取り付けられる。この揺動板８ｂの背面には棒状突起８ｃが設けられ、この棒状突起８ｃは、揺動動作したとき、中板１２の孔１２ｂを通して、初期位置にある回転板１４の切欠き部１４ａ内に突出可能となっている。なお、この棒状突起８ｃにはばね８ｄが巻装された状態で付設され、揺動板８ｂは、常態で、棒状突起８ｃが切欠き部１４ａから抜け出ている。
そして、返却ボタン８を押した際に、棒状突起８ｃが回転板１４の切欠き部１４ａ内に突出してコインＣを押圧する。これによりコイン枚数規制部材２２も軸２３を中心に揺動動作し、コインＣは回転板１４とその後ろに位置する軸部材６０の隙間から通路Ｄに落ち、返却口９に返却される。
【００２２】
さらに、この実施形態では、ハンドル５のハンドル戻し機構を備えている。このハンドル戻し機構は、図１７に示すように、ハンドル５の背面の溝５ａに係合してそのハンドル５と一体的に回転する回転子５０と、外枠１１の前面に回転可能に取り付けられるばね掛け部５１と、このばね掛け部５１と外枠１１の固定部に掛けられるコイルばね５２とから構成されている。
ここで、回転子５１の初期位置は図１８（ａ）に示す位置であり、ハンドル５の回転に伴い、回転子５０がばね掛け部５１に当接してそのばね掛け部５１をある程度回転させる。この状態で手を離すか、あるいは少しハンドル５を戻せば、コイルばね５２の付勢力によって回転子５０ひいてはハンドル５は初期位置に戻る。
【００２３】
また、この実施形態では、ハンドル５と一体的に回転する歯車６２が内枠１３の背面に設けられている。この歯車６２は図２に示す商品排出ドラム６０の環状歯車（図示せず）に噛合し、この環状歯車ひいては商品排出ドラム６０が回転してカプセル商品３が所定の穴から排出される。
【００２４】
このように構成されたコイン選別装置１０によれば、下記のような効果を得ることができる。
【００２５】
すなわち、このコイン選別装置１０によれば、１つのコイン投入枚数設定ダイヤル２５を操作することにより、初期位置にある回転板１４の切欠き部１４ｂに対してコイン投入枚数規制部材２２が入出し、その切欠き部１４ｂへの正規コインの投入可能枚数が規制されるとともに、不用なコイン選別用レバーが強制的に揺動動作され、そのコイン選別用レバーの係止部が待避位置に移動して保持される。このように１つのコイン投入枚数設定ダイヤル２５を操作するだけで、コイン投入枚数規制部材２２と不用なコイン選別用レバーが動作するので、正規コインの投入可能枚数の変更が簡単に行えることになる。
【００２６】
また、このコイン選別装置１０によれば、端面カム２５ｂによってコイン投入枚数規制部材２２が動作するようになっているので、構成が簡素となる。
【００２７】
さらに、このコイン選別装置１０によれば、周面カム２８ａ，２８ｂ，２８ｃによってコイン選別用レバー１７，１８，１９が動作するようになっているので、構成が簡素となる。
【００２８】
このコイン選別装置１０によれば、コイン投入枚数設定ダイヤル２５を用いているので、操作性に優れたものとなる。
【００２９】
以上、本発明者がなした実施形態について説明したが、本発明は、かかる実施形態に限定されるものではなく、その要旨を変更しない範囲で種々の変形が可能であることはいうまでもない。
【００３０】
例えば、前記実施形態として硬貨を例に説明したが、ゲームコインなどにも応用可能である。
【００３１】
【発明の効果】
本発明の代表的なものの効果について説明すれば、投入コインを正規コインと正規コインより小さいコインとに選別するためのコイン選別装置であって、回転軸の軸線に平行な方向に投入コインを重合状態で受容可能な切欠き部とコイン選別用爪部とを外周に持つ回転板と、前記回転軸の軸線に平行な方向に正規コインの最大投入可能枚数と同数個重合状態で、かつ互いに独立揺動動作可能に設けられると共に前記コイン選別用爪部に当接可能な係止部を持つコイン選別用レバーと、このコイン選別用レバーの自由端部を前記回転板に当接させる方向へ付勢する付勢手段と、前記回転板を強制的に回転させるハンドルと、初期位置にある前記回転板の前記切欠き部に対して入出可能に構成されその切欠き部への正規コインの投入可能枚数を規制するコイン投入枚数規制部材と、人が操作することにより前記コイン枚数規制部材を前記切欠き部に対して入出させるコイン投入枚数設定部材とを具備し、前記各コイン選別用レバーは、投入コインが正規コインよりも小さい場合に前記コイン選別用爪部に前記係止部が当接して前記回転板の回転を阻止し、一方、投入コインが正規コインの場合には前記回転板の回転に伴う正規コインの摺接によって前記コイン選別用レバーが揺動動作して前記係止部が待避位置まで移動し前記回転板の回転を許容するようになっているコイン選別装置において、前記コイン投入枚数設定部材によって、前記切欠き部に投入される正規コインの摺接によって揺動動作する前記コイン選別用レバー以外の前記コイン選別用レバーを強制的に揺動動作させ、そのコイン選別用レバーの前記係止部を待避位置に移動させて保持しておくので、正規コインの投入可能枚数の変更が簡単に行えることになる。
【図面の簡単な説明】
【図１】本発明に係るコイン選別装置を組み込んだ自動販売機の斜視図である。
【図２】本発明に係るコイン選別装置を組み込んだ自動販売機の右側面側から見た断面図である。
【図３】本発明に係るコイン選別装置の正面側からの斜視図である。
【図４】本発明に係るコイン選別装置の前半部の背面側からの分解斜視図である。
【図５】本発明に係るコイン選別装置の後半部の背面側からの分解斜視図である。
【図６】本発明に係るコイン選別装置の内枠を取り除いた状態の背面側からの斜視図である。
【図７】本発明に係るコイン選別装置のコイン投入時の様子を示す回転板およびその周辺部分を示す図である。
【図８】本発明に係るコイン選別装置のハンドルを回した時の様子を示す回転板およびその周辺部分を示す図である。
【図９】本発明に係るコイン選別装置のハンドルを回した時の様子を示す回転板およびその周辺部分を示す図である。
【図１０】本発明に係るコイン選別装置のハンドルを回した時の様子を示す回転板およびその周辺部分を示す図である。
【図１１】本発明に係るコイン選別装置に極端に小さいコインが投入された時の働きを示す断面図である。
【図１２】本発明に係るコイン選別装置の背面側からの斜視図である。
【図１３】本発明に係るコイン選別装置の端面カムのカム線図である。
【図１４】本発明に係るコイン選別装置の周面カムの働きを示す図である。
【図１５】本発明に係るコイン選別装置のコイン押圧手段の働きを示す図である。
【図１６】本発明に係るコイン選別装置のコイン返却ボタンを押した時の状態を示す図である。
【図１７】本発明に係るコイン選別装置のハンドル戻し機構を示す図である。
【図１８】本発明に係るコイン選別装置のハンドル戻し機構の働きを示す図である。
【図１９】従来の自動販売機の斜視図である。
【符号の説明】
１      自動販売機
１０    コイン選別装置
１４    回転板
１４ｂ  切欠き部
１６〜１９  コイン選別用レバー
１６ａ〜１９ａ  シリコンゴム（付勢手段）
２２    コイン枚数規制部材
２５    コイン枚数設定ダイヤル（コイン枚数設定部材）
【図１】
0003580705.tif 000002
【図２】
0003580705.tif 000003
【図３】
0003580705.tif 000004
【図４】
0003580705.tif 000005
【図５】
0003580705.tif 000006
【図６】
0003580705.tif 000007
【図７】
0003580705.tif 000008
【図８】
0003580705.tif 000009
【図９】
0003580705.tif 000010
【図１０】
0003580705.tif 000011
【図１１】
0003580705.tif 000012
【図１２】
0003580705.tif 000013
【図１３】
0003580705.tif 000014
【図１４】
0003580705.tif 000015
【図１５】
0003580705.tif 000016
【図１６】
0003580705.tif 000017
【図１７】
0003580705.tif 000018
【図１８】
0003580705.tif 000019
【図１９】
0003580705.tif 000020